(57)【要約】【課題】カメラのオートフォーカス（autofocus, AF）発光装置の修正方法を提供する。【解決手段】オートフォーカス発光装置によって投射された光線は、参考映像をキャプチャーし、かつ、投射光線の中心座標に対応する参考映像の中心座標の相対位置を保存させる。カメラを操作する時、カメラのシャッターボタンを半押しすることにより、オートフォーカス発光装置が光線を投射させることを開始させ、カメラのディスプレイ上にプレビュー映像を表示させる。保存された相対位置に基づき、投射光線の中心位置をディスプレイの中心へと移動させる。【選択図】図４
2011242741.tif 000002
【特許請求の範囲】
【請求項１】
カメラのオートフォーカス発光装置の修正方法であって、
前記オートフォーカス発光装置の投射光線によって、参考映像をキャプチャーするステップと、
前記参考映像の中心座標に対応する前記投射光線の中心座標の相対位置を保存するステップと、
前記カメラを操作する時、前記カメラのシャッターボタンを半押しすることにより、前記オートフォーカス発光装置が光線を投射させることを開始させ、かつ、前記カメラのディスプレイ上にプレビュー映像を表示させるステップと、
前記保存された相対位置に基づき、前記投射光線の中心位置を前記ディスプレイの中心へと移動させるステップと、
を含むことを特徴とする、カメラのオートフォーカス発光装置の修正方法。
【請求項２】
前記オートフォーカス発光装置はオートフォーカス発光ダイオード（LED）であることを特徴とする、請求項１に記載のカメラのオートフォーカス発光装置の修正方法。
【請求項３】
前記相対位置を保存するステップはさらに、前記参考映像の中心座標と前記投射光線の中心座標を保存するステップを含むことを特徴とする、請求項１に記載のカメラのオートフォーカス発光装置の修正方法。
【請求項４】
前記参考映像と前記投射光線の中心座標は前記カメラのメモリ装置内に保存されることを特徴とする、請求項３に記載のカメラのオートフォーカス発光装置の修正方法。
【請求項５】
前記カメラ周辺の輝度が所定の臨界値より低い時、前記オートフォーカス発光装置をオンにさせることを特徴とする、請求項１に記載のカメラのオートフォーカス発光装置の修正方法。
【請求項６】
前記投射光線の中心位置を移動させるステップはさらに、前記プレビュー映像をズーム調節させ、前記投射光線の中心位置を前記ディスプレイの中心へと移動させることを特徴とする、請求項１に記載のカメラのオートフォーカス発光装置の修正方法。
【請求項７】
完全に前記カメラのシャッターボタンを押す前に、さらに、前記ディスプレイの中心にオートフォーカスマークを表示させるステップが含まれることを特徴とする、請求項１に記載のカメラのオートフォーカス発光装置の修正方法。
【請求項８】
カメラのオートフォーカス発光装置の修正方法であって、
前記オートフォーカス発光装置によって投射される光線により、参考画像をキャプチャーするステップと、
前記参考映像の中心座標に対応する前記投射光線の中心座標の相対位置を保存するステップと、を含み、
前記カメラを操作する時、前記保存された相対位置は前記投射光線の中心位置を前記ディスプレイの中心へと移動させるために用いられることを特徴とする、カメラのオートフォーカス発光装置の修正方法。
【請求項９】
前記オートフォーカス発光装置はオートフォーカス発光ダイオード（LED）であることを特徴とする、請求項８に記載のカメラのオートフォーカス発光装置の修正方法。
【請求項１０】
前記相対位置を保存するステップはさらに、前記参考映像の中心座標と前記投射光線の中心座標を保存するステップを含むことを特徴とする、請求項８に記載のカメラのオートフォーカス発光装置の修正方法。
【請求項１１】
前記参考映像と前記投射光線の中心座標は前記カメラのメモリ装置内に保存されることを特徴とする、請求項１０に記載のカメラのオートフォーカス発光装置の修正方法。
【請求項１２】
カメラのオートフォーカス発光装置の修正方法であって、
参考映像の中心座標に対応する前記オートフォーカス発光装置が投射した光線の中心座標の相対位置を前記カメラ内にまず保存し、
前記カメラを操作する時、前記カメラのシャッターボタンを半押しすることにより、前記オートフォーカス発光装置が光線を投射させることを開始させ、かつ、前記カメラのディスプレイ上にプレビュー映像を表示させるステップと、
前記保存された相対位置に基づき、前記投射光線の中心位置を前記ディスプレイの中心へと移動させるステップと、
を含むことを特徴とする、カメラのオートフォーカス発光装置の修正方法。
【請求項１３】
前記オートフォーカス発光装置はオートフォーカス発光ダイオード（LED）であることを特徴とする、請求項１２に記載のカメラのオートフォーカス発光装置の修正方法。
【請求項１４】
前記カメラ周辺の輝度が所定の臨界値より低い時、前記オートフォーカス発光装置をオンにさせることを特徴とする、請求項１２に記載のカメラのオートフォーカス発光装置の修正方法。
【請求項１５】
前記投射光線の中心位置を移動させるステップはさらに、前記プレビュー映像をズーム調節させ、前記投射光線の中心位置を前記ディスプレイの中心へと移動させることを特徴とする、請求項１４に記載のカメラのオートフォーカス発光装置の修正方法。
【請求項１６】
完全に前記カメラのシャッターボタンを押す前に、さらに、前記ディスプレイの中心にオートフォーカスマークを表示させるステップが含まれることを特徴とする、請求項１２に記載のカメラのオートフォーカス発光装置の修正方法。
【発明の詳細な説明】
【技術分野】
【０００１】
本発明は、オートフォーカス（autofocus, AF）発光装置に関し、より詳しくは、カメラのオートフォーカス（autofocus, AF）発光ダイオードの修正方法に関する。
【０００２】
一部のカメラは補助的なオートフォーカス（autofocus, AF）発光装置を有し、例えば、オートフォーカス発光ダイオード（AF light-emitting diode, AF LED）によって、周囲の光線が不十分な時、フォーカス機能を実行させる。しかし、カメラの製造工程と組み立て時に起こる避けられない公差によって、オートフォーカス発光ダイオードの投射光がフォーカス枠（focus frame）の中心と一致しないことも度々ある。図１Ａは理想的な状況下を示す概略図であり、オートフォーカス発光ダイオードの投射光１０はフォーカス枠１２の中心にある。図１Ｂから図１Ｅの概略図はオートフォーカス発光ダイオードの投射光１０がフォーカス枠１２の中心からそれてしまった状態を示す。
【発明の概要】
【発明が解決しようとする課題】
【０００３】
しかしながら、前述した従来の技術では、上述の偏差を防止するため、工場内で人の手により、一つずつカメラのオートフォーカス発光ダイオードを調節し、オートフォーカス発光ダイオードの投射光線の中心をフォーカス枠の中心と一致させることが必要であり、調節工程では多くの作業時間を費やす必要があるといった問題があった。
【０００４】
本発明は、このような従来の問題に鑑みてなされたものである。上記課題解決のため、本発明は、カメラのオートフォーカス（AF）発光ダイオード修正方法を提供することを目的の一つとする。特に、映像キャプチャーの品質を落とさないという前提の下、必要な作業時間を減少させるようにする。
【０００５】
本実施形態では、カメラのオートフォーカス発光装置の修正前に、オートフォーカス発光装置の投射光線によって、参考映像をキャプチャーし、かつ、参考映像の中心座標に対応する投射光線の中心座標の相対位置を保存する。オートフォーカス発光装置の修正後（例えば、カメラを操作する時）、カメラのシャッターボタンを半押しすることにより、オートフォーカス発光装置が光線を投射させることを開始させ、かつ、カメラのディスプレイ上にプレビュー映像を表示させる。さらに、保存された相対位置に基づき、投射光線の中心位置はディスプレイの中心へと移動される。
【課題を解決するための手段】
【０００６】
上述した課題を解決し、目的を達成するために、本発明に係るカメラのオートフォーカス発光装置の修正方法は、
オートフォーカス発光装置の投射光線によって、参考映像をキャプチャーするステップと、
参考映像の中心座標に対応する投射光線の中心座標の相対位置を保存するステップと、
カメラを操作する時、カメラのシャッターボタンを半押しすることにより、オートフォーカス発光装置が光線を投射させることを開始させ、かつ、カメラのディスプレイ上にプレビュー映像を表示させるステップと、
保存された相対位置に基づき、投射光線の中心位置をディスプレイの中心へと移動させるステップとを含むことを特徴とする。
【発明の効果】
【０００７】
本発明によれば、作業時間を短縮し、関連するコストが減少されるといった効果が得られる。
【図面の簡単な説明】
【０００８】
【図１Ａ】理想的な状況下において、オートフォーカス発光ダイオードの投射光がフォーカス枠の中心にある状態を示す概略図である。
【図１Ｂ】オートフォーカス発光ダイオードの投射光がフォーカス枠の中心からそれている状態を示す概略図である。
【図１Ｃ】オートフォーカス発光ダイオードの投射光がフォーカス枠の中心からそれている状態を示す概略図である。
【図１Ｄ】オートフォーカス発光ダイオードの投射光がフォーカス枠の中心からそれている状態を示す概略図である。
【図１Ｅ】オートフォーカス発光ダイオードの投射光がフォーカス枠の中心からそれている状態を示す概略図である。
【図２】本発明の実施形態の修正前半に係るカメラのオートフォーカス発光装置の修正方法を示すフローチャートである。
【図３】参考映像の中心座標と投射光線の中心座標を示す概略図である。
【図４】本発明の実施形態の修正後半に係るカメラのオートフォーカス発光装置の修正方法を示すフローチャートである。
【図５Ａ】ディスプレイに表示される映像の順序を示す概略図である。
【図５Ｂ】ディスプレイに表示される映像の順序を示す概略図である。
【図５Ｃ】ディスプレイに表示される映像の順序を示す概略図である。
【図５Ｄ】ディスプレイに表示される映像の順序を示す概略図である。
【発明を実施するための形態】
【０００９】
以下に図面を参照して本発明を実施するための形態について、詳細に説明する。なお、本発明は、以下に説明する実施形態に限定されるものではない。本発明の実施形態に係るカメラのオートフォーカス発光装置の修正方法は、図２の本発明の実施形態の修正前半に係るフローチャートに示されている。本実施形態では、オートフォーカス発光装置（あるいは、補助オートフォーカス発光装置）は発光ダイオード（light-emitting diode, LED）であるが、例えば、有機発光ダイオード（organic light-emitting diode, OLED）など、他の発光装置でも可能である。
【００１０】
ステップ２１では、オートフォーカス発光ダイオードによって、光線が参考平面（例えば、標準反射板（gray card））に投射され、参考映像がキャプチャーされる。さらに、ステップ２２では、参考映像を分析することにより、参考映像の中心座標に対応する投射光線の中心座標の相対位置を探し出す。図３では、参考映像３１の中心座標３０と投射される光線３３の中心座標３２を示す。最後に、ステップ２３では、上述の参考映像の中心座標に対応する投射される光線の中心座標の相対位置をカメラの記憶装置（例えば、リードオンリーメモリ（ROM））に保存する。本実施形態では、参考映像３１と投射光線３３の中心座標が保存される。保存される相対位置は後続のカメラを操作する時に、カメラを修正するために用いられる。
【００１１】
図４のフローチャートは本発明の実施形態の修正後半に係るカメラのオートフォーカス発光装置の修正方法である。まず、ステップ４０では、オートフォーカスモード（AF mode）をオンにさせる。これは例えば、カメラのシャッターボタンが半押しにされる時、オートフォーカスモードはオンにされるといったようにである。そして、ステップ４１では、オートフォーカス発光ダイオードをオンにさせる必要があるかどうかが決定される。本実施形態では、カメラ周辺の輝度が所定の臨界値より低い時、オートフォーカス発光ダイオードはオンにされる。もし、ステップ４１の決定がオートフォーカス発光ダイオードをオンにしないという結果の時、カメラディスプレイ（例えば、液晶ディスプレイ（LCD））の中心には通常のオートフォーカスマークが表示される。さらに、ステップ４３では、カメラの処理器（例えば、デジタルシグナルプロセッサ（DSP））はオートフォーカス動作を実行させる。最後に、完全にシャッターボタンが押される時、撮影が行われる（ステップ４４）。
【００１２】
もし、ステップ４１の決定がオートフォーカス発光ダイオードをオンにするという結果の時、カメラはオートフォーカス発光ダイオードのフォーカスモード（AF LED focus mode）を実行させ（ステップ４５）、この時、オートフォーカス発光ダイオードは光線を投射させ、かつ、カメラディスプレイ上にはプレビュー映像が表示される。続いて、ステップ４６では、例えば、参考映像と投射光線の中心座標といった、カメラの記憶装置に保存された相対位置が読み取られる。
【００１３】
また、ステップ４７は保存された相対位置に基づき、投射光線の中心位置をカメラディスプレイの中心へと移動させる。このステップでは、同時にディスプレイの中心にはオートフォーカスマークが表示される。具体的に説明すると、本実施形態では、プレビュー映像をズーム調節させることにより、投射光線の中心位置をディスプレイの中心へと移動させる。ここでは、図５Ａから図５Ｄに、ディスプレイに表示される映像の順序を示す。まず、例えば、図５Ａに示すように、ユーザーはある物体（例えば、人）がディスプレイ３４の中心にあるように狙いを定め、この時、投射光線３３の中心位置３２はディスプレイの中心からそれている。そして、中心位置３２を基準とする部分映像５０を拡大させ、これをディスプレイ３４全体に表示させ、図５Ｂに示されるようになる。このため、投射光線３３はディスプレイ３４の中心に位置づけられ、物体（人）はわずかに拡大されることにより、わずかにディスプレイの中心から離れる。この時、ユーザーは直感的にカメラ（例えば、右に移動）を移動させることにより、物体をディスプレイ３４の中心に位置づけさせ、例えば、図５Ｃに示すようになり、この時、それている投射光線は修正される。さらに、ステップ４８では、カメラの処理器（例えば、デジタルシグナルプロセッサ（DSP））はオートフォーカス動作を実行させる。最後にステップ４９では、完全にシャッターボタンが押され、撮影が行われる前に、カメラはオートフォーカス発光ダイオードフォーカスモード（AF LED focus mode）を完了させる。ここでは、オートフォーカス発光ダイオードは光線の投射を停止させ、ズーム動作を解除させる。これ以外に、図５Ｄに示すように、ディスプレイ３４はズームされていないプレビュー映像を示す。
【００１４】
本発明によれば、工場から出荷される前に人の手によって、一台ずつカメラのオートフォーカス発光ダイオードを調節する必要がなく、カメラを操作する時に自動的に修正が実行され、これにより、大幅に作業時間とコストを減少させることが可能となる。
【００１５】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００１６】
１０  投射光
１２  フォーカス枠
２１−２３  ステップ
３０  （参考映像の）中心座標
３１  参考映像
３２  （投射光線の）中心座標
３３  投射光線
３４  ディスプレイ
４０−４９  ステップ
５０  部分映像
【図１Ａ】
2011242741.tif 000003
【図１Ｂ】
2011242741.tif 000004
【図１Ｃ】
2011242741.tif 000005
【図１Ｄ】
2011242741.tif 000006
【図１Ｅ】
2011242741.tif 000007
【図２】
2011242741.tif 000008
【図３】
2011242741.tif 000009
【図４】
2011242741.tif 000010
【図５Ａ】
2011242741.tif 000011
【図５Ｂ】
2011242741.tif 000012
【図５Ｃ】
2011242741.tif 000013
【図５Ｄ】
2011242741.tif 000014